(57)【要約】【課題】  収納物の出し入れが容易であり、扉の振れを抑制した収納庫用引き戸、及びそれを備えた収納庫及びシステムキッチンを提供する。【解決手段】  本発明は、収納庫に使用する収納庫用引き戸（５）であって、複数の扉パネル（１０、１４）と、各扉パネルを吊り下げレール（１６）に摺動可能に吊り下げる摺動吊り下げ手段（２６）と、収納庫の内部の、吊り下げレールよりも下方で、床面よりも上方の高さに水平方向に配置されたガイドレール（１５）と、内側扉パネルからガイドレールの方へ延びる内側アーム（１８）と、外側扉パネルの、内側扉パネルとは反対側の水平方向端部から、内側扉パネルの側面を越えてガイドレールの方へ延びる外側アーム（２０）と、内側アーム及び外側アームに夫々設けられ、ガイドレールと摺動可能に係合する摺動係合手段（２８）と、を有することを特徴としている。【選択図】      図２
2006342649.tif 000002
【特許請求の範囲】
【請求項１】
収納庫に使用する収納庫用引き戸であって、
上記収納庫用引き戸を開放したとき互いに重畳するように配置された複数の扉パネルと、
これらの扉パネルの上端部に取り付けられ、上記各扉パネルを、上記各扉パネルの上方に配置された吊り下げレールに摺動可能に吊り下げる摺動吊り下げ手段と、
上記収納庫の内部の、上記吊り下げレールよりも下方で、床面よりも上方の高さに水平方向に配置されたガイドレールと、
上記扉パネルのうちの最も内側に配置された扉パネルである内側扉パネルから上記ガイドレールの方へ延びる内側アームと、
上記扉パネルのうちの最も外側に配置された扉パネルである外側扉パネルの、上記内側扉パネルとは反対側の水平方向端部から、上記内側扉パネルの側面を越えて上記ガイドレールの方へ延びる外側アームと、
上記内側アーム及び上記外側アームに夫々設けられ、上記ガイドレールと摺動可能に係合する摺動係合手段と、
を有することを特徴とする収納庫用引き戸。
【請求項２】
さらに、上記内側扉パネルに設けられた第２内側アームと、この第２内側アームに設けられた、上記ガイドレールと摺動可能に係合する摺動係合手段と、を有し、上記内側アーム及び上記第２内側アームが、上記内側扉パネルの両側の端部に夫々取り付けられている請求項１記載の収納庫用引き戸。
【請求項３】
上記ガイドレールが、上記収納庫の棚板の手前側の端面、又は手前側の下面に取り付けられている請求項１又は２に記載の収納庫用引き戸。
【請求項４】
さらに、上記扉パネルのうちの少なくとも１枚の下端に設けられた摺動連結手段を有し、この摺動連結手段は、それが設けられた扉パネルに隣接する扉パネルの下端を摺動可能に連結する請求項１乃至３の何れか１項に記載の収納庫用引き戸。
【請求項５】
上記ガイドレールが、床面から７０ｃｍ乃至１３０ｃｍの高さに配置されている請求項請求項１乃至４の何れか１項に記載の収納庫用引き戸。
【請求項６】
収納棚と、
この収納棚に収納された収納物を覆うように配置された請求項１乃至５の何れか１項に記載の収納庫用引き戸と、
を有することを特徴とする収納庫。
【請求項７】
シンク及びコンロを備えたメインキッチンと、
このメインキッチンに対向するように配置された請求項６記載の収納庫と、
を有することを特徴とするシステムキッチン。
【発明の詳細な説明】
【技術分野】
【０００１】
本発明は、収納庫用引き戸、及びそれを備えた収納庫及びシステムキッチンに関し、特に、上方から摺動可能に吊り下げられた収納庫用引き戸、及びそれを備えた収納庫及びシステムキッチンに関する。
【背景技術】
【０００２】
台所等に設置される収納庫の扉として、戸板を上方から吊り下げた引き戸が利用される場合が多い。この吊り下げタイプの引き戸を収納庫の扉として使用すると、床面に扉を摺動させるためのレールを設置する必要がないため、収納物の出し入れが容易になり、収納庫の利便性を向上させることができる。床面にレールを設置せず、床面をフラットにすることにより、特に、キャスター付の収納物の出し入れを容易にすることができる。
【０００３】
しかしながら、例えば、天地丈の大型収納庫に、鉛直方向に長い吊り下げタイプの引き戸を設置した場合、扉の下端における振れが大きくなり、扉の操作性が悪くなる。この扉の振れを抑えるために、床面からピンを突出させ、このピンによって扉の振れを抑えた扉が考案されている。
【０００４】
また、特開２００４−２３８８１９号公報（特許文献１）には、複数の扉パネルの下レール構造が記載されている。この下レール構造では、吊り戸の下端に下レールを取り付け、隣接する吊り戸を、下レールを取り付けた吊り戸に摺動させることにより吊り戸の振れを抑えている。即ち、この下レール構造では、１枚の吊り戸の下端から、隣接する吊り戸の下端部を受け入れるように形成された下レールを突出させ、この下レールと、隣接する吊り戸から突出するように設けられた滑動スペーサが摺動することにより隣接する吊り戸をガイドしている。
【０００５】
【特許文献１】特開２００４−２３８８１９号公報
【発明の開示】
【発明が解決しようとする課題】
【０００６】
しかしながら、床面からピンを突出させ、このピンによって吊り戸の振れを抑える方式では、床面のレールは不要であるものの、依然として床面から突出するピンが、収納物の出し入れや、床の清掃の邪魔になるという問題がある。また、特開２００４−２３８８１９号公報に記載の下レール構造では、レールやピンを床面から排除することが可能であるものの、隣接する吊り戸を受け入れるように形成した下レールや、これに摺動するように設けられた滑動スペーサが吊り戸の前面から突出するため、これらが邪魔になるという問題がある。特に、吊り戸が、シンクやコンロを備えたメインキッチンに対向して配置される収納庫の扉として使用されることを想定した場合、メインキッチンと収納庫との間の限られたスペースを、下レールや滑動スペーサによって占有されることは、キッチンの作業性を著しく損なうという問題がある。さらに、狭小な我が国の住宅事情に鑑みれば、ダイニングキッチンにおけるキッチンのスペースを節約することは非常に重要であり、メインキッチンと収納庫の間に無駄なスペースを占有することがない、大型の収納庫を提供することには強い要望がある。
【０００７】
従って、本発明は、収納物の出し入れが容易であり、扉の振れを抑制した収納庫用引き戸、及びそれを備えた収納庫及びシステムキッチンを提供することを目的としている。
また、本発明は、扉の振れを抑制しながら、無駄なスペースを占有することのない収納庫用引き戸、及びそれを備えた収納庫及びシステムキッチンを提供することを目的としている。
【課題を解決するための手段】
【０００８】
上述した課題を解決するために、本発明は、収納庫に使用する収納庫用引き戸であって、収納庫用引き戸を開放したとき互いに重畳するように配置された複数の扉パネルと、これらの扉パネルの上端部に取り付けられ、各扉パネルを、各扉パネルの上方に配置された吊り下げレールに摺動可能に吊り下げる摺動吊り下げ手段と、収納庫の内部の、吊り下げレールよりも下方で、床面よりも上方の高さに水平方向に配置されたガイドレールと、扉パネルのうちの最も内側に配置された扉パネルである内側扉パネルからガイドレールの方へ延びる内側アームと、扉パネルのうちの最も外側に配置された扉パネルである外側扉パネルの、内側扉パネルとは反対側の水平方向端部から、内側扉パネルの側面を越えてガイドレールの方へ延びる外側アームと、内側アーム及び外側アームに夫々設けられ、ガイドレールと摺動可能に係合する摺動係合手段と、を有することを特徴としている。
【０００９】
このように構成された本発明においては、外側扉パネル及び内側扉パネルは、上端部の摺動吊り下げ手段によって、摺動可能に吊り下げレールに吊り下げられる。収納庫が閉鎖された状態から、外側扉パネルを摺動させて収納庫用引き戸を開放させる場合には、外側扉パネルに取り付けられた外側アームの摺動係合手段が、ガイドレールと係合して案内される。一方、内側扉パネルを摺動させて収納庫用引き戸を開放させる場合には、内側扉パネルに取り付けられた内側アームの摺動係合手段が、ガイドレールと係合して案内される。
【００１０】
このように構成された本発明によれば、外側扉パネル又は内側扉パネルが摺動される際に、各扉パネルは、吊り下げレールよりも下方のガイドレールによって案内されるので、扉パネルの振れを抑制することができると共に、床面にレールが配置されていないので、収納庫の内容物の出し入れを容易にすることができる。さらに、内側アーム及び外側アームが収納庫の内方に向けて延びるように設けられているので、各扉パネルの前面側に部材が突出することはなく、収納庫の前方のスペースを有効に活用することができる。
【００１１】
本発明において、好ましくは、さらに、内側扉パネルに設けられた第２内側アームと、この第２内側アームに設けられた、ガイドレールと摺動可能に係合する摺動係合手段と、を有し、内側アーム及び第２内側アームが、内側扉パネルの両側の端部に夫々取り付けられている。
このように構成された本発明によれば、内側扉パネルは、その両端部がガイドレールによって案内されるので、内側扉パネルの振れをさらに抑制することができる。
【００１２】
本発明において、好ましくは、ガイドレールは、収納庫の棚板の手前側の端面、又は手前側の下面に取り付けられている。
このように構成された本発明によれば、ガイドレールが収納庫内の棚板とスペースを共有するので、ガイドレールを設置することによって収納庫内にデッドスペースを生じることがなく、収納庫のスペースを有効に活用することができる。
【００１３】
本発明において、好ましくは、さらに、扉パネルのうちの少なくとも１枚の下端に設けられた摺動連結手段を有し、この摺動連結手段は、それが設けられた扉パネルに隣接する扉パネルの下端を摺動可能に連結する。
このように構成された本発明によれば、扉パネルの振れは、摺動連結手段によっても拘束されるので、扉パネルの振れをさらに抑制することができる。
【００１４】
本発明において、好ましくは、ガイドレールは、床面から７０ｃｍ乃至１３０ｃｍの高さに配置されている。
このように構成された本発明においては、使用者が扉パネルを通常操作する高さ付近にガイドレールが設けられ、この高さで扉パネルの振れが拘束されるため、扉パネルの振れをより小さくすることができる。
【００１５】
また、本発明の収納庫は、収納棚と、この収納棚に収納された収納物を覆うように配置された収納庫用引き戸と、を有することを特徴としている。
【００１６】
さらに、本発明のシステムキッチンは、シンク及びコンロを備えたメインキッチンと、このメインキッチンに対向するように配置された収納庫と、を有することを特徴としている。
このように構成された本発明においては、収納庫の前面側に突出する部材がないので、メインキッチンと収納庫の間の限られたスペースを有効に活用することができ、システムキッチンの使い勝手を向上させることができる。
【発明の効果】
【００１７】
本発明の収納庫用引き戸、及びそれを備えた収納庫及びシステムキッチンによれば、収納物の出し入れを容易にしながら、扉の振れを抑制することができる。
また、本発明の収納庫用引き戸、及びそれを備えた収納庫及びシステムキッチンによれば、扉の振れを抑制しながら、無駄なスペースの占有を回避することができる。
【発明を実施するための最良の形態】
【００１８】
次に、添付図面を参照して、本発明の好ましい実施形態を説明する。
まず、図１乃至図８を参照して、本発明の実施形態によるシステムキッチンを説明する。図１は、本発明の実施形態によるシステムキッチンの側面断面図である。また、図２は本実施形態のシステムキッチンの収納庫に使用されている収納庫用引き戸が閉鎖された状態、図３は収納庫用引き戸が開放された状態を、収納庫の内側から見た斜視図である。図４は、収納庫用引き戸の上端部の構成を詳細に示す拡大断面図である。図５は収納庫用引き戸に取り付けられているアームを拡大して示す斜視図であり、図６はアームを別の角度から見た斜視図である。また、図７は、図５及び図６に示したアームの反対側の端部に取り付けられたアームを拡大して示す斜視図である。さらに、図８は、収納庫用引き戸の下端に取り付けられた連結部材を示す斜視図である。なお、図８は収納庫用引き戸を収納庫の外側から見た斜視図であり、他の斜視図は、収納庫用引き戸を収納庫の内側から見た斜視図である。
【００１９】
図１に示すように、本発明の実施形態によるシステムキッチン１は、メインキッチン２と、これに対向するように配置された収納庫４と、を有する。メインキッチン２は、シンク２ａ、コンロ２ｂ、及び戸棚２ｃ等を有する。収納庫４は、メインキッチン２と向き合うように配置された天地丈の収納スペースとして設けられており、上部の複数の棚板６及び下部の４段の引出８を備えた収納棚と、この収納棚に収納された収納物を覆うように配置された収納庫用引き戸５と、を有する。また、収納庫用引き戸５は、３枚の扉パネル１０、１２、１４を備えており、これらの扉パネルは、収納庫４の上端から、収納庫４を設置した床面Ｆの近傍まで延びている。さらに、これらの扉パネル１０、１２、１４は、上端で収納庫天板４ａに取り付けられた３本の吊り下げレール１６によって夫々摺動可能に吊り下げられ、ほぼ中間の高さでガイドレール１５によって摺動可能に支持されている。なお、図１においては、壁面に取り付けられたシステムキッチンが図示されているが、オープンスペースに設置された所謂アイランド型のシステムキッチン等、任意の形式のシステムキッチンに本発明を適用することができる。また、本実施形態においては、収納庫４は３枚の扉パネルを備えているため、収納庫を幅広く構成することが可能であり、大きな収納スペースを確保することができる。
【００２０】
次に、図２及び図３を参照して、収納庫用引き戸５の構成を詳述する。図２及び図３に示すように、収納庫用引き戸５は、収納庫４の最も外側に配置された外側扉パネル１０、収納庫４の最も内側に配置された内側扉パネル１４、及びこれらの間に位置する中間扉パネル１２の３枚の扉パネルを有する。図２に示すように、これらの扉パネル１０、１２、１４は、収納庫用引き戸５を完全に閉鎖した状態においても端部が若干重畳するような寸法、形状に構成されている。一方、図３に示すように、収納庫用引き戸５を完全に開放した状態では、扉パネル１０、１２、１４は完全に重畳するように構成されている。また、外側扉パネル１０は、外枠及び補強桟からなるフレーム１０ａと、このフレーム１０ａに取り付けられた薄いプレート１０ｂと、を有する。同様に、中間扉パネル１２は、フレーム１２ａ及びプレート１２ｂを、内側扉パネル１４は、フレーム１４ａ及びプレート１４ｂを夫々有する。なお、図３においては、プレート１０ｂ、１２ｂ、１４ｂの図示を省略している。
【００２１】
また、内側扉パネル１４には、内側アーム１８が、収納庫４の端に接する側の端部（図２及び３の右端）に、収納庫４の内方に向けて突出するように取り付けられている。さらに、内側扉パネル１４の、内側アーム１８とは反対側の端部（図２及び３の左端）には、第２内側アーム２２が収納庫４の内方に向けて突出するように取り付けられている。また、中間扉パネル１２には、中間アーム２４が、内側アーム１８とは反対側の端部（図２及び３の左端）に、収納庫４の内方に向けて突出するように取り付けられている。さらに、外側扉パネル１０には、外側アーム２０が、内側アーム１８とは反対側の端部（図２及び３の左端）に、収納庫４の内方に向けて突出するように取り付けられている。各アームの詳細な構成については後述する。なお、本実施形態においては、内側アーム１８、外側アーム２０、第２内側アーム２２及び中間アーム２４は、各扉パネルの最も外側の端に取り付けられているが、各アームは、扉パネルの最も外側の端よりもある程度内側に取り付けても良い。本明細書における「扉パネルの端部」には、扉パネルの最も外側の端の他、これよりもある程度内側の位置も含まれるものとする。
【００２２】
次に、図４を参照して、収納庫用引き戸５の摺動吊り下げ機構を説明する。図４に示すように、収納庫４の収納庫天板４ａには、下方が開放したコの字型断面の３本の吊り下げレール１６が、平行に取り付けられている。また、各吊り下げレール１６には、外側扉パネル１０、中間扉パネル１２、内側扉パネル１４が夫々摺動可能に吊り下げられている。各扉パネルの上端には、扉パネルを吊り下げレール１６から吊り下げるための摺動吊り下げ手段である吊り金具２６が、夫々２つずつ取り付けられている（図４には各扉パネルにつき１つずつ図示）。各吊り金具２６は、同一軸線上に配置された２つの吊り下げローラー２６ａを有し、この吊り下げローラー２６ａが吊り下げレール１６内を転がることにより、各扉パネルを、小さな操作力で吊り下げレール１６に対して摺動させることができるように構成されている。
【００２３】
次に、図５乃至図７を参照して、各扉パネルに取り付けられたアームの構成を説明する。図５は、外側アーム２０、中間アーム２４、及び第２内側アーム２２を、夫々、外側扉パネル１０のフレーム１０ａ、中間扉パネル１２のフレーム１２ａ、及び内側扉パネル１４のフレーム１４ａに取り付けた状態を拡大して示す斜視図である。なお、図５においては、各フレームに取り付けられたプレート、及びガイドレール１５を想像線で図示している。また、図６は、外側扉パネル１０、中間扉パネル１２、及び内側扉パネル１４を完全に重畳させた場合における、外側アーム２０、中間アーム２４、及び第２内側アーム２２の位置関係を、図５の反対側から図示した斜視図である。なお、図６においては、各扉パネル、及びガイドレール１５の図示を省略している。
【００２４】
図５及び図６に示すように、外側アーム２０は、薄い金属板を折り曲げることにより形成され、パネル取り付け部２０ａと、ブリッジ部２０ｂと、ガイドローラー取り付け部２０ｃから構成されている。パネル取り付け部２０ａは、Ｌ字型に折り曲げられており、Ｌ字型の先端部に形成された２つの穴２０ｄを通して固定用のビス（図示せず）を螺合させることにより、外側アーム２０がフレーム１０ａに固定される。ブリッジ部２０ｂは、フレーム１０ａの端面とほぼ同一平面内に位置し、中間扉パネル１２のフレーム１２ａ、及び内側扉パネル１４のフレーム１４ａを越えて収納庫４の内方に向かって延びている。また、ブリッジ部２０ｂの中央部には、補強用のリブ２０ｅが形成されている。ガイドローラー取り付け部２０ｃは、ブリッジ部２０ｂの先端を直角に折り曲げて、板面を水平方向に向けることにより形成されている。また、ガイドローラー取り付け部２０ｃには摺動係合手段であるガイドローラー２８ａが、回転可能に取り付けられている。
【００２５】
同様に、中間アーム２４は、薄い金属板を折り曲げることにより形成され、パネル取り付け部２４ａと、ブリッジ部２４ｂと、ガイドローラー取り付け部２４ｃから構成されている。パネル取り付け部２４ａは、Ｌ字型に折り曲げられ、２つの穴２４ｄを通して固定用のビス（図示せず）を螺合させることにより、中間アーム２４がフレーム１２ａに固定される。ブリッジ部２４ｂは、フレーム１２ａの端面とほぼ同一平面内に位置し、内側扉パネル１４のフレーム１４ａを越えて収納庫４の内方に向かって延びている。また、中間アーム２４は、図５に示すように、外側扉パネル１０と中間扉パネル１２を重畳させたとき、外側アーム２０の下側に隣接するような高さに取り付けられている。さらに、ブリッジ部２４ｂの中央部には、補強用のリブ２４ｅが形成されている。ガイドローラー取り付け部２４ｃは、ブリッジ部２４ｂの先端を直角に折り曲げて、板面を水平方向に向けることにより形成され、これにはガイドローラー２８ｂが、回転可能に取り付けられている。また、ガイドローラー取り付け部２４ｃは、外側アーム２０のガイドローラー取り付け部２０ｃと同一の高さに位置する。これらのアームに取り付けられたガイドローラー２８ａ及びガイドローラー２８ｂは、外側扉パネル１０と中間扉パネル１２を重畳させたとき隣接し、扉パネルの面と平行に並ぶように位置決めされている。
【００２６】
さらに、第２内側アーム２２は、薄い金属板を折り曲げることにより形成され、パネル取り付け部２２ａと、ブリッジ部２２ｂと、ガイドローラー取り付け部２２ｃから構成されている。パネル取り付け部２２ａは、Ｌ字型に折り曲げられ、２つの穴２２ｄを通して固定用のビス（図示せず）を螺合させることにより、第２内側アーム２２がフレーム１４ａに固定される。また、第２内側アーム２２は、図６に示すように、外側アーム２０とほぼ同一の高さに取り付けられている。ブリッジ部２２ｂは、水平方向に向けられた、概ねＳ字型の板によって形成され、ガイドローラー取り付け部２２ｃを所定の位置に配置することができるように、収納庫４の内方に向かって延びている。ガイドローラー取り付け部２２ｃは、水平方向に、ブリッジ部２２ｂと同一平面上に形成され、これにはガイドローラー２８ｃが、回転可能に取り付けられている。また、ガイドローラー取り付け部２２ｃは、外側アーム２０及び中間アーム２４のガイドローラー取り付け部と同一の高さに位置している。これらのアームに取り付けられたガイドローラー２８ａ、２８ｂ、２８ｃは、３枚の扉パネルを重畳させたとき隣接し、扉パネルの面と平行に並ぶように位置決めされている。
【００２７】
また、図７に示すように、内側アーム１８は、内側扉パネル１４の、第２内側アーム２２の反対側の端部に取り付けられている。内側アーム１８は、第２内側アーム２２と同様に、パネル取り付け部１８ａと、ブリッジ部１８ｂと、ガイドローラー取り付け部１８ｃから構成され、ガイドローラー取り付け部１８ｃには、ガイドローラー２８ｄが回転可能に取り付けられている。内側アーム１８のブリッジ部１８ｂは、第２内側アーム２２のブリッジ部２２ｂとほぼ同一の形状で、ブリッジ部２２ｂに対して左右対称に形成されている。また、ガイドローラー２８ｄは、ガイドローラー２８ａ、２８ｂ、２８ｃと同一直線上に位置するように位置決めされている。
【００２８】
ガイドレール１５は、図１に示すように、最下段の棚板６の手前側の下面に、水平方向に取り付けられている。また、ガイドレール１５は、下方が開いたコの字型断面を有するように形成されている。ガイドレール１５は、ガイドローラー２８ａ、２８ｂ、２８ｃ及び２８ｄを、摺動可能に内部に受け入れている。また、各ガイドローラーがガイドレール１５に受け入れられて摺動することにより、各扉パネルのパネル面と直交する方向の動きが拘束され、扉パネルの振れが防止される。なお、本実施形態においては、ガイドレール１５は、使用者が扉パネルを操作する際に把持する箇所である床面Ｆから約１００ｃｍの高さに取り付けられている。このため、扉パネルを操作する際に扉パネルを手前に引く力がかかりやすい箇所の振れが拘束され、効果的に扉パネルの振れを抑制することができる。
【００２９】
好ましくは、ガイドレール１５は、床面Ｆから約７０ｃｍ乃至約１３０ｃｍの高さに取り付ける。また、ガイドレール１５を床面Ｆから約７０ｃｍ以上の高さに設けた場合には、ガイドレール１５の下側を収納スペースとして十分に活用することができ、ガイドレール１５と床面Ｆの間がデッドスペースになることはない。さらに、ガイドレール１５を床面Ｆから約１３０ｃｍ以下の高さに設けることにより、扉パネルと吊り下げレール１６の間に十分な距離を確保することができるので、扉パネルの振れを効果的に抑制することができる。
【００３０】
次に、図８を参照して、扉パネルの下端面に取り付けられた摺動連結手段である連結部材を説明する。図８に示すように、中間扉パネル１２の下端面には、薄い金属板で形成された連結部材３０ａが取り付けられている。連結部材３０ａは、中間扉パネル１２の下端面の一方の端部に、外側扉パネル１０の方に突出するように取り付けられている。連結部材３０ａの突出した先端は、上方に向けて直角に折り曲げられている。この折り曲げられた先端部は、外側扉パネル１０の下端面に形成された溝１０ｃに摺動可能に受け入れられている。同様に、内側扉パネル１４の下端面には、連結部材３０ｂが、中間扉パネル１２の方に突出するように取り付けられている。連結部材３０ｂの突出した先端は、上方に向けて直角に折り曲げられ、中間扉パネル１２の下端面に形成された溝１２ｃに摺動可能に受け入れられている。
【００３１】
連結部材３０ａ、３０ｂが、夫々溝１０ｃ、１２ｃに摺動可能に受け入れられることにより、各扉パネルのパネル面に直交する方向の動きが拘束され、各扉パネルの振れが防止される。また、図８に示す状態から、外側扉パネル１０を閉鎖させるように（図８における右方向に）移動させ、連結部材３０ａが外側扉パネル１０の端部に位置するようになると、連結部材３０ａの先端と溝１０ｃの端部が係合する。これにより、中間扉パネル１２は、外側扉パネル１０と係合した状態で、外側扉パネル１０と共に所定の閉鎖位置まで移動される。
【００３２】
次に、本発明の実施形態によるシステムキッチン１に備えられている収納庫４の収納庫用引き戸５の作用を説明する。まず、図２に示す収納庫用引き戸５が閉鎖された状態から収納庫用引き戸５を開放させる場合には、使用者は、収納庫４の正面から見て左方向（図２における右方向）に、外側扉パネル１０を移動させる。この際、外側扉パネル１０に取り付けられた外側アーム２０のガイドローラー２８ａがガイドレール１５に沿って摺動し、外側扉パネル１０の振れが抑制される。また、中間扉パネル１２の下端面に取り付けられた連結部材３０ａが、外側扉パネル１２の溝１０ｃに沿って摺動することにより、外側扉パネル１０の振れはさらに抑制される。
【００３３】
外側扉パネル１０が移動され、外側扉パネル１０と中間扉パネル１２が完全に重畳すると、外側扉パネル１０に取り付けられた外側アーム２０と、中間扉パネル１２の端面が係合し、中間扉パネル１２も外側扉パネル１０と共に移動を開始する。さらに外側扉パネル１０を移動させることにより、収納庫用引き戸５は、図３に示すように、外側扉パネル１０、中間扉パネル１２、内側扉パネル１４が完全に重畳する状態まで開放される。この際、中間扉パネル１２に取り付けられた中間アーム２４のガイドローラー２８ｂがガイドレール１５に沿って摺動し、外側扉パネル１０及び中間扉パネル１２の振れが抑制される。また、内側扉パネル１４の下端面に取り付けられた連結部材３０ｂが、中間扉パネル１２の溝１２ｃに沿って摺動することにより、外側扉パネル１０及び中間扉パネル１２の振れはさらに抑制される。
【００３４】
図３に示す、収納庫用引き戸５が完全に開放された状態から、収納庫用引き戸５を閉鎖する場合には、使用者は、収納庫４の正面から見て右方向（図３における左方向）に、外側扉パネル１０を移動させる。外側扉パネル１０が移動され、外側扉パネル１０と中間扉パネル１２の重なりが所定距離まで減少すると、連結部材３０ａと外側扉パネル１０の溝１０ｃの端部が係合し、中間扉パネル１２が外側扉パネル１０と共に移動されるようになる。さらに、外側扉パネル１０を吊り下げレール１６の端１６ａまで移動させると、収納庫用引き戸５は、図２に示す完全に閉鎖された状態となる。
【００３５】
一方、図２に示す、収納庫用引き戸５が閉鎖された状態から、収納庫用引き戸５の内側扉パネル１４側を開放する場合には、使用者は、収納庫４の正面から見て右方向（図２における左方向）に、内側扉パネル１４を移動させる。この際、内側扉パネル１４に取り付けられた内側アーム１８のガイドローラー２８ｄ、及び第２内側アーム２２のガイドローラー２８ｃがガイドレール１５に沿って摺動し、内側扉パネル１４の振れが抑制される。また、内側扉パネル１４の下端面に取り付けられた連結部材３０ｂが、中間扉パネル１２の溝１２ｃに沿って摺動することにより、内側扉パネル１４の振れはさらに抑制される。
【００３６】
内側扉パネル１４が移動され、内側扉パネル１４と中間扉パネル１２が完全に重畳すると、内側扉パネル１４の下端面に取り付けられた連結部材３０ｂが中間扉パネル１２の溝１２ｃの端面に係合し、中間扉パネル１２が内側扉パネル１４と共に移動されるようになる。さらに内側扉パネル１４を移動させることにより、収納庫用引き戸５は、外側扉パネル１０、中間扉パネル１２、内側扉パネル１４が完全に重畳する状態（図３とは反対の方向に開放された状態）まで開放される。
【００３７】
次に、図９を参照して、本発明の実施形態によるシステムキッチン１に備えられていた連結部材の変形例を説明する。
図９は、収納庫用引き戸の下端に取り付けられた摺動連結手段である連結部材の変形例を示す斜視図である。なお、図９は収納庫用引き戸を収納庫の外側から見た斜視図である。
【００３８】
図９に示すように、薄い金属板で形成された連結部材３２ａは、外側扉パネル１０の下端面に取り付けられている。連結部材３２ａは、外側扉パネル１０の下端面の図９における左側の端部に、中間扉パネル１２の方に突出するように取り付けられている。連結部材３２ａの突出した先端は、上方に向けて直角に折り曲げられている。この折り曲げられた先端部は、中間扉パネル１２の下端面に形成された溝１２ｄに摺動可能に受け入れられている。同様に、中間扉パネル１２の下端面には、連結部材３２ｂが、内側扉パネル１４の方に突出するように取り付けられている。連結部材３２ｂの突出した先端は、上方に向けて直角に折り曲げられ、内側扉パネル１４の下端面に形成された溝１４ｄに摺動可能に受け入れられている。
【００３９】
連結部材３２ａ、３２ｂが、夫々溝１２ｄ、１４ｄに摺動可能に受け入れられることにより、各扉パネルのパネル面に直交する方向の動きが拘束され、各扉パネルの振れが防止される。本変形例における連結部材と、図８に示した連結部材の主な相違は、その扉パネルに対する取り付け位置である。即ち、本変形例の連結部材３２ａは、外側扉パネル１０の外側アーム２０とは反対側の端部に取り付けられている。同様に、連結部材３２ｂは、中間扉パネル１２の中間アーム２４とは反対側の端部に取り付けられている。
【００４０】
このため、外側扉パネル１０は、その図９における右端で外側アーム２０によって振れを抑制され、左端で連結部材３２ａよって振れを抑制される。同様に、中間扉パネル１２は、その右端で中間アーム２４によって振れを抑制され、左端で連結部材３２ｂよって振れを抑制される。これにより、各扉パネルが完全に重畳された状態、又は図９のように概ね重畳された状態においても、外側扉パネル１０及び中間扉パネル１２は、それらの両端で振れが抑制されるため、より効果的に振れを抑制することができる。
【００４１】
本発明の実施形態のシステムキッチンによれば、収納庫の扉パネルの前面側に部材が突出することがないので、収納庫の前方のスペースを有効に活用することができ、システムキッチンの使い勝手を向上させることができる。
また、本実施形態のシステムキッチンによれば、収納庫の扉パネルを案内するレールが床面に配置されていないので、収納庫の内容物の出し入れを容易にすることができる。
【００４２】
さらに、本実施形態のシステムキッチンによれば、収納庫の扉パネルを摺動させる際、扉パネルが吊り下げレールよりも下方のガイドレールによって案内されるので、扉パネルの振れを抑制することができる。
また、本実施形態のシステムキッチンによれば、収納庫の内側扉パネルが、その両端部でガイドレールによって案内されるので、内側扉パネルの振れをさらに抑制することができる。
【００４３】
さらに、本実施形態のシステムキッチンによれば、収納庫の中間扉パネルに中間アーム及びガイドローラーが備えられているので、ガイドレールによって中間扉パネルが案内され、中間扉パネルの振れを効果的に抑制することができる。
また、本実施形態のシステムキッチンによれば、収納庫の扉パネルのガイドレールが、収納庫内の棚板の手前側の下面に取り付けられているので、ガイドレールの設置によって収納庫内にデッドスペースを生じることがなく、収納庫のスペースを有効に活用することができる。
【００４４】
また、本実施形態のシステムキッチンによれば、収納庫の扉パネルが、連結部材によって、その下端部で摺動可能に拘束されるので、扉パネルの振れをさらに抑制することができる。
さらに、本実施形態のシステムキッチンによれば、収納庫の扉パネルが連結部材を備え、これが隣接する扉パネルと係合して、隣接する扉パネルを移動させるので、使用者は、外側扉パネルを操作するだけで、中間扉パネルをも所定の閉鎖位置へ移動させることができる。
【００４５】
また、本実施形態のシステムキッチンによれば、収納庫の扉パネルのガイドレールが、床面から約１００ｃｍの高さに取り付けられているので、使用者が扉パネルを通常操作する高さ付近で扉パネルの振れが拘束され、扉パネルの振れをより小さくすることができる。
【００４６】
以上、本発明の好ましい実施形態を説明したが、上述した実施形態に種々の変更を加えることができる。特に、上述した実施形態においては、本発明の収納庫用引き戸をシステムキッチンの収納庫に適用した場合について説明したが、本発明の収納庫用引き戸は、システムキッチン以外の種々の収納庫の引き戸として使用することができる。或いは、既存の棚等に、本発明の収納庫用引き戸を適用し、収納庫を形成することもできる。
【００４７】
また、上述した実施形態では、収納庫用引き戸は、外側扉パネル、中間扉パネル及び内側扉パネルの３枚の扉パネルを備えていたが、中間扉パネルを省略し、収納庫用引き戸を２枚の扉パネルで構成しても良いし、複数の中間扉パネル設けて４枚以上の扉パネルで収納庫用引き戸を構成しても良い。
【００４８】
さらに、上述した実施形態では、各扉パネルには、内側アーム、第２内側アーム、中間アーム、及び外側アームが設けられていたが、第２内側アーム及び／又は中間アームを省略することもできる。第２内側アーム及び中間アームが省略された場合においても、収納庫用引き戸の両端の振れが抑制されるので、その間に位置する中間扉パネルの振れも抑制することができる。また、内側アーム及び第２内側アームの取り付けは、内側扉パネルの端部以外の位置でも良い。
【００４９】
また、上述した実施形態では、ガイドレールは棚板の手前側の下面に取り付けられているが、ガイドレールの位置は適宜変更することができる。特に、ガイドレールは棚板の手前側の端面に取り付けても良く、ガイドレールに案内されるガイドローラーの回転軸線が水平方向に向くように構成することもできる。
さらに、上述した実施形態においては、摺動係合手段としてガイドローラーが使用されていたが、摺動係合手段は必ずしもローラーである必要はなく、ガイドレールとの間の摺動抵抗が小さい任意の構成を採用することができる。
【図面の簡単な説明】
【００５０】
【図１】本発明の実施形態によるシステムキッチンの側面断面図である。
【図２】本実施形態のシステムキッチンの収納庫に使用されている収納庫用引き戸が閉鎖された状態を示す斜視図である。
【図３】本実施形態のシステムキッチンの収納庫に使用されている収納庫用引き戸が開放された状態を示す斜視図である。
【図４】収納庫用引き戸の上端部の構成を詳細に示す拡大断面図である。
【図５】収納庫用引き戸に取り付けられているアームを拡大して示す斜視図である。
【図６】収納庫用引き戸に取り付けられているアームを図５とは異なる方向から見た斜視図である。
【図７】収納庫用引き戸の内側扉パネルの反対側の端部に取り付けられたアームを拡大して示す斜視図である。
【図８】収納庫用引き戸引き戸の下端に取り付けられた連結部材を示す斜視図である。
【図９】収納庫用引き戸引き戸の下端に取り付けられた連結部材の変形例を示す斜視図である。
【符号の説明】
【００５１】
Ｆ      床面
１      システムキッチン
２      メインキッチン
２ａ    シンク
２ｂ    コンロ
２ｃ    戸棚
４      収納庫
５      収納庫用引き戸
６      棚板
８      引出
１０    外側扉パネル
１０ａ  フレーム
１０ｂ  プレート
１０ｃ  溝
１２    中間扉パネル
１２ａ  フレーム
１２ｂ  プレート
１２ｃ  溝
１４    内側扉パネル
１４ａ  フレーム
１４ｂ  プレート
１５    ガイドレール
１６    吊り下げレール
１８    内側アーム
１８ａ  パネル取り付け部
１８ｂ  ブリッジ部
１８ｃ  ガイドローラー取り付け部
２０    外側アーム
２０ａ  パネル取り付け部
２０ｂ  ブリッジ部
２０ｃ  ガイドローラー取り付け部
２０ｄ  穴
２０ｅ  リブ
２２    第２内側アーム
２２ａ  パネル取り付け部
２２ｂ  ブリッジ部
２２ｃ  ガイドローラー取り付け部
２２ｄ  穴
２４    中間アーム
２４ａ  パネル取り付け部
２４ｂ  ブリッジ部
２４ｃ  ガイドローラー取り付け部
２４ｄ  穴
２４ｅ  リブ
２６    吊り金具
２６ａ  吊り下げローラー
２８ａ、２８ｂ、２８ｃ、２８ｄ  ガイドローラー
３０ａ、３０ｂ  連結部材
３２ａ、３２ｂ  連結部材
【図１】
2006342649.tif 000003
【図２】
2006342649.tif 000004
【図３】
2006342649.tif 000005
【図４】
2006342649.tif 000006
【図５】
2006342649.tif 000007
【図６】
2006342649.tif 000008
【図７】
2006342649.tif 000009
【図８】
2006342649.tif 000010
【図９】
2006342649.tif 000011